【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
個々の判断ミスのリスクを制限するために、意見の共有及び画像のグラフィック解析を必要とする分野のための共同対話型の画像処理システム（１００）であって、
●  処理される画像（２００）を分配し、注釈付き画像（２０１ａ、２０１ｂ、２０１ｃ、２０１ｄ、２０１ｅ）を収集するためのコンソール（１１０）であって、処理される画像を表示できる少なくとも２つの処理インターフェース（１２０）とローカルで通信できるコンソール（１１０）を含み、
●  コンソール（１１０）とインターフェース（１２０）が、
〇  処理される画像のコピーを分配コンソール（１１０）から各処理インターフェース（１２０）に送信し、処理される画像が検査の種類に関連し、検査の種類が対象オブジェクトおよび／または対象領域のリストに関連し、各対象オブジェクトおよび／または対象領域が注釈マークに関連し、
〇  グラフィック修正で注釈が付けられた画像を得るために各インターフェース上で画像のコピーをグラフィックカルに注釈を付けるためのツール（Ｂ３、Ｂ３ａ、Ｂ３ ｂ）を提供し、グラフィック注釈ツールが画像用に既定され、グラフィック注釈ツールにより既定の対象領域をグラフィッカルに画定できおよび／または既定の対象オブジェクトにグラフィックマークを付加でき、
〇  各処理インターフェース (１２０) から各注釈付き画像を分配コンソール（１１０）へ送信し、
〇  注釈付き画像間で類似のグラフィック修正および異なるグラフィック修正を決定するために各注釈付き画像のグラフィック修正を解析する組み合わせアルゴリズムであって、類似のグラフィック修正と異なるグラフィック修正との間で異なるグラフィック形式の画素で構成される結果画像を生成することによって、この解析を合成する組み合わせアルゴリズムを使用して、注釈付き画像から結果画像を生成し、
〇  各インターフェースの表示が他のインターフェースから独立している個別モードでの表示を可能にし、
〇  個別モードと指示モードとの間の変更が双方に可能であり、最初のインターフェースの表示が他のインターフェースの表示を指示する指示モードでの表示を可能にする、
ようにプログラムされていることを特徴とする、共同対話型の画像処理システム。
【請求項２】
コンソール（１１０）およびインターフェース（１２０）が、
処理される画像のコピー上に、一意の識別子で画定された少なくとも１つの対象領域（３００、３０１、３０２、３０３）、対象領域を表す形状および処理される画像のコピー内の座標をマークすることを可能にする、
ようにプログラムされた、請求項１記載の画像処理システム。
【請求項３】
−▲  ローカル無線信号を送受信する無線トランシーバ（１１１）と；
▲  少なくとも１つの処理される画像および少なくとも１つの結果画像を格納するメモリと；
▲  プログラムされた中央ユニットと、
を含むデータ分配ならびに収集コンソール（１１０）と、：
−▲  無線信号を介してデータのローカル交換を可能にするコンソールのトランシーバと互換性のあるローカルな無線信号を送受信する無線トランシーバと；
▲  少なくとも１つの処理される画像および少なくとも１つの注釈画像を格納するメモリと；
▲  プログラムされた中央ユニットと、：
を含む、少なくとも２つの処理インターフェースと、
を含む請求項１または２記載の共同対話型の画像処理システム。
【請求項４】
共同対話型の画像処理システムであって、コンソール（１１０）の中央ユニットおよび各インターフェース（１２０）の中央ユニットが、
−  少なくとも１つの処理される画像のコピーを全てのインターフェースに送信し;
−  各インターフェース上に処理される画像全体を表示し；
−  コマンドにより表示される画像を拡大および／または縮小し、画像全体に対する表示される画像のズームレベルを表すズーム値および画像全体に対する表示される画像の位置を記憶し；
−  全ての他のインターフェース上に最初のインターフェースの表示と同一の表示を指示することにより、最初のインターフェースから、他のインターフェースを表示する双方指示モードで表示を実行し；
−  注釈付き画像を生成するために、処理される画像に少なくとも１つのグラフィック注釈マークを付け；
−  注釈付き画像を送信したインターフェースを表す識別子とともに、コンソールに各注釈付き画像を記録し、送信する、
ようにプログラムされた、請求項３記載の共同対話型の画像処理システム。
【請求項５】
指令モードでの表示がユーザーによって起動される場合、コンソールの中央ユニットおよび各インターフェースの中央ユニットが、
各インターフェースの初期表示を事前に保存し、
全ての他のインターフェース上に最初のインターフェースの表示と同一の表示を指示し、
指令モードが非起動のとき各インターフェースの初期表示を再表示する、
ようにプログラムされた、請求項４記載の画像処理システム。
【請求項６】
コンソールの中央ユニットが、
各インターフェースによって送信された注釈付き画像を結合し、
注釈付き画像間で類似のグラフィック修正および異なるグラフィック修正を決定するために各注釈付き画像のグラフィック修正を解析する組み合わせアルゴリズムであって、類似のグラフィック修正と異なるグラフィック修正との間で異なるグラフィック形式の画素で構成される結果画像を生成することによって、この解析を合成する組み合わせアルゴリズムを使用して、注釈付き画像から結果画像を生成する、
ようにプログラムされた、請求項３〜５のいずれか１項記載の共同対話型の画像処理システム。
【請求項７】
コンソールの中央ユニットが、
決定された類似度閾値より大きい類似度レベルを有する注釈付き画像上のグラフィック注釈マーク（３０１-３０２）が第１のグラフィック形式で表示され、決定された類似度閾値未満の類似度レベルを有する注釈付き画像上のグラフィック注釈マーク（３０３、Ｍ１、Ｍ２、Ｍ３、Ｍ４）が少なくとも１つの第２のグラフィック形式で表示される結果画像（４００）を生成する、
ようにプログラムされた、請求項６記載の画像処理システム。
【請求項８】
コンソールの中央ユニットが、グラフィック注釈マークの統計解析を実行する、
ようにプログラムされた、請求項７記載の画像処理システム。
【請求項９】
統計解析が、
決定された類似度閾値より大きい類似度レベルを有する注釈マークのパーセンテージを計算することと、
決定された類似度閾値より小さい類似度レベルを有する注釈マークのパーセンテージを計算することとを含む、請求項８記載の画像処理システム。
【請求項１０】
類似度閾値が設定可能である、請求項７〜９のいずれか１項記載の画像処理システム。
【請求項１１】
コンソールおよび／または各インターフェースの中央ユニットがまた、
注釈付き画像内の少なくとも位置座標およびその作成者によって定義される各グラフィック注釈マーク間の対応表を生成する、
ようにプログラムされた、請求項７〜１０のいずれか１項に記載の画像処理システム。
【請求項１２】
コンソールの中央ユニットがまた、
各グラフィック注釈マークの作成者識別子を結果画像に表示する、
ようにプログラムされた、請求項１１記載の画像処理システム。
【請求項１３】
各コンソールの中央ユニットが管理者コードまたはユーザーコードで起動されるようにプログラムされ、
コンソールの中央ユニットが、管理者コードで起動されたインターフェース上に管理ツールを表示するようにプログラムされ、
管理ツールが、中央ユニットのメモリに存在する処理される画像リスト、参加者の識別子リスト、ユーザーによって選択可能な対象オブジェクトまたは対象領域の記述子リストを含み、
各記述子が異なる既定のグラフィック注釈マークに関連する、
請求項３〜１２のいずれか１項に記載の画像処理システム。
【請求項１４】
コンソールが、コンソールの中央ユニットに接続された脱着可能なメモリに接続するための接続ポート（１１２）を含む、請求項１３記載の画像処理システム。
【請求項１５】
コンソールが、コンソール（１１０）の中央ユニットに接続されたネットワーク接続ポートを含み、
前記コンソールが、少なくとも１つの処理される画像をダウンロードしてメモリに格納するために、通信ネットワークを介してリモートサーバ（１４０）と通信するようにプログラムされた、請求項１３または１４記載の画像処理システム。
【請求項１６】
リモートサーバ（１４０）が、
機密識別情報に関連付けられた元画像を格納する第１のメモリと、
機密識別情報無しに一意の識別子に関連付けられた対応する処理される画像を格納する第２のメモリと、
原画像と処理される画像との間の対応表とを含む、請求項１５記載の画像処理システム。
【請求項１７】
コンソールの中央ユニットが、
処理される画像に注釈を付けた後に得た結果画像に、処理される画像の一意の識別子を追加し、一意の識別子が付与された結果画像をリモートサーバに送信する、
ようにプログラムされた、請求項１６記載の画像処理システム。
【請求項１８】
コンソールの中央ユニットおよびインターフェースの中央ユニットが、
用語データベースを伴う逐次注釈ガイドを表示し、
各専門家の回答を逐次的に記録し、
各専門家の対応が逐次的に報告され結合される処理される画像のための検査レイアウトを含む予備検査報告を生成する、
ようにプログラムされた、請求項３〜１７のいずれか１項記載の画像処理システム。
【請求項１９】
予備検査報告が、処理される画像の一意の識別子、結果画像、および結果画像の統計解析の標準化された記録を含む、請求項１８記載の画像処理システム。
【請求項２０】
処理される画像（２００）を分配し注釈付き画像（２０１ａ、２０１ｂ、２０１ｃ、２０１ｄ、２０１ｅ）を収集するための、少なくとも２つの互いに通信することができるコンソール（１１０）を含み、
コンソールが、コンソールが階層的に構造化され得る設定可能な状態を有するようにプログラムされた、請求項１〜１９のいずれか１項記載の画像処理システム。
【請求項２１】
コンソールの１つが１次ステータスを有するようにプログラムされるのに対し、他のコンソールが２次ステータスを有し、１次ステータスを有するコンソールが２次ステータスを有するコンソールに指示できる、請求項２０記載の画像処理システム。
【請求項２２】
個々の判断ミスのリスクを制限するために、意見の共有及び画像のグラフィック解析を必要とする分野のための共同参加型の画像処理方法であって、
−  処理される画像（２００）を、少なくとも２つの処理インターフェース（１２０）とローカルに通信可能なコンソール（１１０）のメモリに配置するステップと；
−  処理される画像のコピーを分配コンソールから各処理インターフェースに送信し、処理される画像が検査の種類に関連し、検査の種類が対象オブジェクトおよび／または対象領域のリストに関連し、各対象オブジェクトおよび／または対象領域が注釈マークに関連するステップと;
−  ユーザーが処理される画像のコピーにグラフィック修正を行って注釈付き画像（２０１ａ、２０１ｂ、２０１ｃ、２０１ｄ、２０１ｅ）を生成できるように、各処理インターフェース上に処理される画像のコピーをグラフィックカルに修正するためのツール（Ｂ３、Ｂ３ａ、Ｂ３ｂ）を表示し、グラフィック注釈ツールが画像用に既定され、グラフィック注釈ツールにより既定の対象領域をグラフィッカルに画定できおよび／または既定の対象オブジェクトにグラフィックマークを付加できるステップと；
−  各インターフェースの表示が他のインターフェースから独立している個別モードでの表示を可能にするステップと、
−  個別モードと指示モードとの間の変更が双方に可能であり、最初のインターフェースの表示が他のインターフェースの表示を指示する指示モードでの表示を可能にするステップと、
−  各注釈付き画像を各処理インターフェースから分配コンソールに送信するステップと、
−  注釈付き画像間で類似のグラフィック修正および異なるグラフィック修正を決定するために各注釈付き画像のグラフィック修正を解析し、類似のグラフィック修正と異なるグラフィック修正との間で異なるグラフィック形式の画素で構成される結果画像を生成することによって、この解析を合成する組み合わせアルゴリズムを使用して、注釈付き画像から結果画像を生成する、ように分配コンソールを使用するステップと、を含むことを特徴とする共同参加型の画像処理方法。
【請求項２３】
決定された類似度閾値より大きい類似度レベルを有する注釈付き画像のグラフィカルな注釈が、結果画像に第１のグラフィック形式でマークされ、
決定された類似度閾値より小さい類似度レベルを有する様々な画像のグラフィカルな注釈が、結果画像に少なくとも１つの第２のグラフィック形式でマークされる、請求項２２記載の画像処理方法。